(57)【要約】【課題】  本発明は、帽子を着用する人の頭囲に応じて、自由に帽子のサイズを調節することができる帽子サイズ調節補助具を提供する。【解決手段】  帽子内縁下部ビン皮１３に近似した巾の可撓性の帯状に形成された部材で構成され、外側に帽子内縁下部より帽子の形態を維持する形態維持板２と、中間部に複数のアーチを有する揚力部材３と、内側に一対の調節具を雄と雌に分けて一方を取り付けたサイズ調節具５ａを有する調節部材４を重ね合わせ端部を固定し、保護カバー７に格納し、帽子内縁下部１７に取り付ける。ビン皮１３裏面に取り付けた他方のサイズ調節具５ｂとサイズ調節具５ａによるサイズ調節時に調節部材４から発生した圧力により前記揚力部材３の複数のアーチが変形し、形状維持板２を内側より湾曲し帽子内縁下部１７を内側より支持する帽子サイズ調節補助具である。【選択図】図１
2008050737.tif 000002
【特許請求の範囲】
【請求項１】
各部材は、帽子内縁下部ビン皮に近似した巾で可撓性の素材からなり、外側に帯状の形態維持板と、該形態維持板の内側の左右端部に連結された複数のアーチを有する揚力部材と、該複数のアーチのそれぞれのアーチ連結部とサイズ調節部側端部に各々設けられたガイド部と、前記揚力部材の内側にはサイズ調節具が連結されている調節部材と、帽子内縁下部へ取り付けるための取付機構により構成され、前記調節部材は揚力部材のガイド部に各々通過し、該揚力部材は連結部ガイド部間でアーチ状が変形し、該各頂点部で形態維持板を内側から湾曲させ支持するものであることを特徴とする帽子サイズ調節補助具。
【請求項２】
一対のサイズ調節具の雄と雌の一方を前記調節部材の端部に、該サイズ調節具の他方を帽子内縁下部に取り付けられることを特徴とする請求項１記載の帽子サイズ調節補助具。
【請求項３】
保護用カバーは、伸縮性の織布からなり前記サイズ調節機構部を覆う帯状のカバー状に形成され、前記調節部が露出可能な切開部と、前記サイズ調節機構部が収納され前記保護用カバーと供に帽子内縁下部に取り付けられることを特徴とする請求項２記載の帽子サイズ調節補助具。
【発明の詳細な説明】
【技術分野】
【０００１】  本発明は、帽子を着用する人の頭部の大きさに応じて、自由に帽子のサイズを調節することができる帽子サイズ調節補助具に関するものである。
【背景技術】
【０００２】  従来、ハット型の帽子は、いくつかのサイズの帽子が用意され愛用者は、自分に合ったサイズの帽子を探していた。また後部に切欠部を設けて調節具によりサイズの調節をおこなう帽子がある。愛用者は不便を感じていた、従ってこの課題に応じて今までも、いくつかの帽子のサイズの調節方法が提案されている。【０００３】  なお、本発明に関連する公知技術として、帽子本体内部に伸縮性ベルトや紐等を設けてサイズを調節するものがある。次の特許文献２を挙げることができる。【０００４】
【特許文献１】特開２００３−２２１７２２号広報
【特許文献２】特開平１０−３１０９２７号広報
【発明の開示】
【発明が解決しようとする課題】
【０００５】  上述の如く、従来技術では愛用者が自分のサイズに合った帽子を探すのが不便であり、帽子を作製するには、いくつもの型を必要とするため同じ帽子でも細かくサイズの異なった種類を用意するのは、コストを高くする要因でもあった。また売り場においても、各サイズの帽子を用意しなくてはならず、品切れや陳列スペースに問題をかかえている。【０００６】  特許文献の構成にあっては、伸縮性ベルトを使用することにより自分に合ったサイズに調節ができず圧迫感を感じてしまい、伸縮性ベルトや紐等を使用することにより庇部分に皺が生じてしまい、帽子のシルエットを維持しながらサイズの調節をするのが難しいものであった。
【課題を解決するための手段】
【０００７】  上述の目的を達成する本発明の帽子サイズ調節補助具は、各部材は、帽子内縁下部ビン皮に近似した巾で可撓性の素材からなり、外側に帯状の形態維持板と、該形態維持板の内側の左右端部に連結された複数のアーチを有する揚力部材と、該複数のアーチのそれぞれのアーチ連結部とサイズ調節部側端部に各々設けられたガイド部と、前記揚力部材の内側にはサイズ調節具が連結されている調節部材と、帽子内縁下部へ取り付けるための取付機構により構成され、前記調節部材は揚力部材のガイド部に各々通過し、該揚力部材は連結部ガイド部間でアーチ状が変形し、該各頂点部で形態維持板を内側から湾曲させ支持するものであることを特徴とする。【０００８】  一対のサイズ調節具の雄と雌の一方を前記調節部材の端部に、該サイズ調節具の他方を帽子内縁下部に取り付けられる。また保護カバーは、伸縮性の織布からなり前記サイズ調節機構部を覆う帯状のカバー状に形成され、前記調節部が露出可能な切開部と、前記サイズ調節機構部が収納され前記保護用カバーと供に帽子内縁下部に取り付けられることを特徴とする。
【発明の効果】
【０００９】  以上説明したように本発明によれば、帽子本体の内径を変化させるものではなく、着用時以外でも帽子のシルエットを維持でき、一対の調節具を雄と雌に分けて一方をビン皮裏面に取り付けることによりサイズ調節具が直接目に触れなくなり供に調節具が直接頭部に接することもなくサイズの調節が可能である。また複数の揚力部材のアーチが形態維持板を内側よりしっかりと支えるため外観を自然に維持し、構造体も軽く、着用時にも違和感がなく帽子サイズを調節でき、カバーを設けることで構造体に頭髪が巻き込まれることなく、装着感も向上する。また構造が簡単なため安価且つ容易に装着でき、調節機能と蒸れ防止の機能を持った極めて有効な調整補助具である。
【発明を実施するための最良の形態】
【００１０】  以下、本発明の実施の形態を図面に基づき詳細に説明する。【００１１】  図１〜図７に示すように本体サイズ調節構造体１は、全体が円弧状に形成された可撓性の合成樹脂で形成された構造部と、伸縮性織布で形成されている保護カバー７により構成され、構造部を保護カバー７に格納し帽子内縁下部１７に取り付けられる。【００１２】  図１〜図３が示すように、各部材の長さについては、サイズ調節部５ａ、５ｂの調節巾０のとき、調節部材４の両端部の縫着部８とサイズ調節具５ａの露出部を除いた長さに等しい。但し揚力部材３は、若干のアーチを残した状態の長さで固定部１９，２２に固定するのが好ましい。【００１３】  図１〜図３に示すように、最も外側に位置する形態維持板２は、下端部に縫着部１０を有している。また前記形態維持板２の端部固定部１９は、揚力部材３と、調節部材４と供に固定され、他端部の固定部２２は、形状維持板２と揚力部材３が固定されている。【００１４】  図２が示すように、揚力部材３は、前記形状維持板２の内側に位置し中心部のアーチを最大とする複数のアーチと調節部材４を摺動可能にするコの字型のガイド部６を各アーチ連結部とサイズ調節具５ａ側に有している。また前記アーチ部の各頂点部９、９ａ、９ｂは、形態維持板２の内側に固定されている。【００１５】  図２、図３が示すように、調節部材４は、最も内側に位置し端部に既製のサイズ調節具の一方である雌側の係止孔１１を有するサイズ調節具５ａが連結され、前記ガイド部６を通過するようにサイズ調節具５ａの他端部の固定部１９で固定されている。また固定部１９の端部に縫着部８を有し、縫着部８は縫着を容易にするため薄く形成されている。【００１６】  図４が示すように、保護カバー７は、弾性の織布により形成され上部に揚力部材３の変形を補助するための遊間部を有し、端部には、サイズ調節具５ａを露出する開口部２０を有している。【００１７】  図３、図５が示すように、サイズ調節構造体１は、構造部を保護カバー７に格納され縫着部８に保護カバー７と供に帽子内縁下部ビン皮１３裏面に縫着位置１４で縫着されている。また他端部ビン皮１３には、一対のサイズ調節具の一方で雄側の係止凸部１２を有するサイズ調節具５ｂがビン皮１３の裏面に縫着され、サイズ調節構造体１より露出していて他方の雌側係止孔１１を有するサイズ調節具５ａによりサイズの調節を可能にしている。【００１８】  図３、図６、図７が示すように、サイズ調節構造体１は、帽子本体１８の内縁下部に縫着位置１５に形態維持板２の縫着部１０と保護カバー７と供に縫着されている。またサイズ調節具５ｂは、ビン皮１３の裏面に縫着位置１６，２１に縫着され取り付けられている。【００１９】  図７が示すように、サイズ調節構造体１は、帽子本体１８の内縁下部１７に取り付けられている。またサイズ調節具５ａ、５ｂは、ビン皮１３の裏面に位置するためサイズ調節具が直接頭髪に触れることを防いでいる。【００２０】  一例として図９、図１０が示すように、調節部材４ａの両端部にサイズ調節具５ｃ、５ｄを設けることにより調節幅の増大と一方を１ｃｍ単位、他方を５ｍｍ単位にすることにより細かな調節が可能となる。また図１０が示すように、調節部��４ａの両端部にガイド部６ａより前記調節部材４ａが、ガイド部より抜け落ちることを防止する幅広部のスットッパー２３を設けている。【００２１】  本発明の使用方法については、図７、図８が示すように、帽子本体１８の内縁下部１７に取り付けられたサイズ調節構造体１は、サイズ調節具５ａ、５ｂによりサイズの調節をおこなうことで揚力部材３がガイド部６を摺動しアーチを形成することにより内側より形態維持板２を支持し帽子本体１８の外周のシルエットを保持することができる。また保護カバー７を装着することにより着用時の頭髪の巻き込みを防止するとともに着用感の向上おも達成することが可能であり、調節具をビン皮１３裏面に分割して取り付けいるため保護カバーを必要とせず見た目にも違和感を軽減させている。
【実施例】
【００２２】  以上、本発明の実施の形態を説明したが、本発明の範囲は、これに限定されるものではない。例えば、取り付け位置などはハット型には後方部、野球帽においては、切欠部を不要にすることができ着用時の自然観をだすためみも前方部などが好ましく、また構造体の大きさや取り付け位置、構造体の材質や厚さなど、サイズ調節具の数も状況に応じて適宜選択される。
【図面の簡単な説明】
【００２３】
【図１】  本発明の本体構造部の斜視図である。
【図２】  本発明のサイズ調節具調整巾０のときの本体構造部上面図である。
【図３】  本発明の本体構造部の正面図である。
【図４】  本発明の保護カバーの正面図である。
【図５】  本発明の取り付け部の上面参考図である。
【図６】  本発明の取り付け部の正面参考図である。
【図７】  本発明の本体を帽子に取り付けたときの参考図である。
【図８】  本発明の本体構造部の上面図である。
【図９】  本発明の上面参考図である。
【図１０】  本発明の本体構造部の正面参考図である。
【符号の説明】
【００２４】  １、１Ａ                サイズ調節構造体
２，２ａ                形態維持板
３                      揚力部材
４，４ａ                調節部材
５ａ、５ｂ              サイズ調節具
５ｃ、５ｄ              サイズ調節具
６，６ａ                ガイド部
７                      保護カバー
８、１０，１０ａ        縫着部
９、９ａ，９ｂ          アーチ部の各頂点部
１１，１１ａ、１１ｂ    係止孔
１２                    係止凸部
１３，１３ａ            ビン皮
１４、１５、１６、２１  縫着位置
１７                    帽子内縁下部
１８                    帽子本体
１９、２２              固定部
２０                    開口部
２３                    ストッパー
【図１】
2008050737.tif 000003
【図２】
2008050737.tif 000004
【図３】
2008050737.tif 000005
【図４】
2008050737.tif 000006
【図５】
2008050737.tif 000007
【図６】
2008050737.tif 000008
【図７】
2008050737.tif 000009
【図８】
2008050737.tif 000010
【図９】
2008050737.tif 000011
【図１０】
2008050737.tif 000012